(57)【要約】【課題】　「時間差再生」機能と「時間差早送り再生」機能とを有するデータ記録再生装置および方法を提供すること。【解決手段】　データを記録再生する装置は、入力データを受信する受信部１０と、入力データを記録媒体に記録する記録部２２と、記録媒体に記録された入力データの位置を示す情報を管理する管理部３１と、入力データを記録媒体に記録している間に、管理部３１によって管理された情報に基づいて、記録媒体に記録されたデータを再生する再生部４０と、入力データと再生部４０によって再生されたデータのうち少なくとも一方を選択的に出力する選択出力部５０とを備えている。【選択図】　図１
2004015821.tif 000002
【特許請求の範囲】
【請求項１】
　複数のチャンネルのデータを記録再生する装置であって、
　Ｎ個のチャンネルの入力データを受信する受信手段と、
　Ｎ個のチャンネルのうちＭ個のチャンネルを選択する第１選択手段と、
　該第１選択手段によって選択されたＭ個のチャンネルの入力データを記録媒体に記録する記録手段と、
　該記録媒体に記録された該Ｍ個のチャンネルの入力データの位置を示す情報を管理する管理手段と、
　該記録媒体に記録された複数のチャンネルのうちＰ個のチャンネルを選択する第２選択手段と、
　該Ｍ個のチャンネルの入力データを該記録媒体に記録している間に、該管理手段によって管理された情報に基づいて、該記録媒体に記録された複数のチャンネルのうち該第２選択手段によって選択されたＰ個のチャンネルのデータを再生する再生手段と、
　該Ｎ個のチャンネルの入力データと該再生手段によって再生されたＰ個のチャンネルのデータのうち少なくとも１つを選択的に出力する選択出力手段と
を備えており、
　Ｎ、Ｍ、Ｐは２以上の正の整数であり、Ｎ≧Ｍである装置。
【請求項２】
　前記入力データを圧縮する圧縮手段と、前記再生手段によって再生されたデータを伸張する伸張手段とをさらに備えている、請求項１に記載の装置。
【請求項３】
　前記選択出力手段は、前記入力データと前記再生されたデータのそれぞれに優先順位を付与する手段を備えており、該表示手段は、該優先順位に応じて表示態様が変更される、請求項１に記載の装置。
【請求項４】
　複数のチャンネルのデータを記録再生する方法であって、
　（ａ）Ｎ個のチャンネルの入力データを受信するステップと、
　（ｂ）Ｎ個のチャンネルのうちＭ個のチャンネルを選択するステップと、
　（ｃ）ステップ（ｂ）において選択されたＭ個のチャンネルの入力データを記録媒体に記録するステップと、
　（ｄ）該記録媒体に記録された該Ｍ個のチャンネルの入力データの位置を示す情報を管理するステップと、
　（ｅ）該記録媒体に記録された複数のチャンネルのうちＰ個のチャンネルを選択するステップと、
　（ｆ）該Ｍ個のチャンネルの入力データを該記録媒体に記録している間に、ステップ（ｄ）において管理された情報に基づいて、該記録媒体に記録された複数のチャンネルのうちステップ（ｅ）において選択されたＰ個のチャンネルのデータを再生するステップと、
　（ｇ）該Ｎ個のチャンネルの入力データと該再生されたＰ個のチャンネルのデータのうち少なくとも１つを選択的に出力するステップとを包含しており、Ｎ、Ｍ、Ｐは２以上の正の整数であり、Ｎ≧Ｍである方法。
【請求項５】
　前記入力データを圧縮するステップと、前記再生されたデータを伸張するステップとをさらに包含している、請求項４に記載の方法。
【請求項６】
　前記ステップ（ｇ）は、前記入力データと前記再生されたデータのそれぞれに優先順位を付与するステップを包含しており、
　前記方法は、前記ステップ（ｇ）における選択的な出力を所定の態様で表示する表示ステップをさらに包含し、該表示ステップは、該優先順位に応じて表示態様が変更される、請求項４に記載の方法。
【発明の詳細な説明】
【技術分野】
【０００１】
　本発明は、「時間差再生」機能および「時間差早送り再生」機能を提供する映像および音声を記録再生する装置およびその方法に関する。
【背景技術】
【０００２】
　近年、衛星放送やＣＡＴＶ等の普及により放送チャンネルが大幅に増加し、見たい番組が重なることが頻繁に起きるようになっている。また、家庭においてビデオは完全に普及しており、さらに便利な利用方法が求められている。
【０００３】
　図１６は、映像および音声を記録再生する従来の装置の例として、テレビとビデオカセットレコーダ（ＶＣＲ）とを接続した構成を示している。
【０００４】
　以下、図１６に示される各構成要素を説明する。
【０００５】
　放送受信部１と放送受信部２とは、放送を受信する。典型的には、放送受信部１は、テレビに内蔵されたチューナであり、放送受信部２は、ＶＣＲに内蔵されたチューナである。
【０００６】
　映像／音声記録部３は、放送受信部２から出力される映像および音声を記録用信号に変換し、その記録用信号を磁気テープに記録する。磁気テープは、磁気テープ駆動部４によって駆動される。
【０００７】
　映像／音声再生部５は、磁気テープに記録された記録用信号を変換することにより、映像および音声を再生する。映像／音声再生部５によって再生された映像および音声は、選択出力部６に供給される。
【０００８】
　選択出力部６は、放送受信部１の出力と映像／音声再生部５の出力のうち一方を選択的に出力する。選択出力部６における選択は、ユーザによって手動で決定される。
【０００９】
　映像表示部７は、選択出力部６によって選択された映像を表示する。音声出力部８は、選択出力部６によって選択された音声を出力する。
【発明の開示】
【発明が解決しようとする課題】
【００１０】
　しかしながら、上述した構成を有する従来の装置では、現在記録中の番組を再生するためには、いったん記録を停止し、磁気テープを巻き戻し、その後再生を開始することが要求される。従って、以下のような問題点があった。
　（１）放送中の番組の記録を継続しながらその番組を最初から再生することができない。
【００１１】
　（２）放送中のある番組の視聴を中断せざるを得ない場合において、その番組の記録を継続しながらその番組の視聴を中断したところからその番組を再生することができない。
【００１２】
　（３）放送中のある番組の視聴を中断せざるを得ない場合において、その番組の記録を継続しながらその番組の視聴を中断したところからその番組を早送り再生することができない。
【００１３】
　また、従来の装置では、複数の番組を磁気テープに同時に記録することはできない。従って、複数の番組を同時に記録するためには、その複数の番組と同数の記録再生装置を用意する必要があった。
【００１４】
　本発明の目的は、上記（１）および（２）の問題点を解決する「時間差再生」機能と、上記（３）の問題点を解決する「時間差早送り再生」機能とを有する記録再生装置およびその方法を提供することである。
【００１５】
　また、本発明の他の目的は、複数のチャンネルを同時に記録しかつ再生することが可能な記録再生装置およびその方法を提供することである。
【課題を解決するための手段】
【００１６】
　本発明の装置は、データを記録再生する装置であって、入力データを受信する受信手段と、該入力データを記録媒体に記録する記録手段と、該記録媒体に記録された該入力データの位置を示す情報を管理する管理手段と、該入力データを該記録媒体に記録している間に、該管理手段によって管理され情報に基づいて、該記録媒体に記録されたデータを再生する再生手段と、該入力データと該再生手段によって再生されたデータのうち少なくとも一方を選択的に出力する選択出力手段とを備えており、これにより上記目的が達成される。
【００１７】
　前記装置は、前記入力データを圧縮する圧縮手段と、前記再生手段によって再生されたデータを伸張する伸張手段とをさらに備えていてもよい。
【００１８】
　前記選択出力手段は、前記入力データと前記再生されたデータのそれぞれに優先順位を付与する手段を備えており、前記装置は、前記選択出力手段の出力を所定の態様で表示する表示手段であって、該所定の態様は、該優先順位に応じて変更される表示手段をさらに備えていてもよい。
【００１９】
　本発明の他の装置は、複数のチャンネルのデータを記録再生する装置であって、Ｎ個のチャンネルの入力データを受信する受信手段と、Ｎ個のチャンネルのうちＭ個のチャンネルを選択する第１選択手段と、該第１選択手段によって選択されたＭ個のチャンネルの入力データを記録媒体に記録する記録手段と、該記録媒体に記録された該Ｍ個のチャンネルの入力データの位置を示す情報を管理する管理手段と、該記録媒体に記録された複数のチャンネルのうちＰ個のチャンネルを選択する第２選択手段と、該Ｍ個のチャンネルの入力データを該記録媒体に記録している間に、該管理手段によって管理された情報に基づいて、該記録媒体に記録された複数のチャンネルのうち該第２選択手段によって選択されたＰ個のチャンネルのデータを再生する再生手段と、該Ｎ個のチャンネルの入力データと該再生手段によって再生されたＰ個のチャンネルのデータのうち少なくとも１つを選択的に出力する選択出力手段とを備えており、Ｎ、Ｍ、Ｐは正の整数であり、Ｎ≧Ｍであり、これにより上記目的が達成される。
【００２０】
　前記装置は、前記入力データを圧縮する圧縮手段と、前記再生手段によって再生されたデータを伸張する伸張手段とをさらに備えていてもよい。
【００２１】
　前記選択出力手段は、前記入力データと前記再生されたデータのそれぞれに優先順位を付与する手段を備えており、前記装置は、前記選択出力手段の出力を所定の態様で表示する表示手段であって、該所定の態様は、該優先順位に応じて変更される表示手段をさらに備えていてもよい。
【００２２】
　本発明の他の装置は、データを記録再生する装置であって、入力データを受信する受信手段と、タイムコードを発生させ、該タイムコードを該入力データに付与するタイムコード発生手段と、該タイムコード付きの入力データを所定の比率で間引く間引き手段と、該間引き手段によって間引かれた該タイムコード付きの入力データを記録媒体に記録する記録手段と、該記録媒体に記録された該タイムコード付きの入力データの位置を示す情報を管理する管理手段と、該タイムコード付きの入力データを該記録媒体に記録している間に、該管理手段によって管理された情報に基づいて、該記録媒体に記録されたタイムコード付きデータを再生する再生手段と、該入力データのタイムコードと該再生手段によって再生されたデータのタイムコードとを比較する比較手段と、該比較手段による比較結果に応じて、該入力データと該再生手段によって再生されたデータのうち少なくとも一方を選択的に出力する選択出力手段とを備えており、これにより上記目的が達成される。
【００２３】
　前記装置は、前記間引き手段によって間引かれたタイムコード付きの入力データを圧縮する圧縮手段と、前記再生手段によって再生されたタイムコード付きのデータを伸張する伸張手段とをさらに備えていてもよい。
【００２４】
　前記選択出力手段は、前記タイムコード付き入力データと前記再生されたタイムコード付きデータのそれぞれに優先順位を付与する手段を備えており、前記装置は、前記選択出力手段の出力を所定の態様で表示する表示手段であって、該所定の態様は、該優先順位に応じて変更される表示手段をさらに備えていてもよい。 本発明の他の装置は、データを記録再生する装置であって、入力データを受信する受信手段と、タイムコードを発生させ、該タイムコードを該入力データに付与するタイムコード発生手段と、該タイムコード付きの入力データを記録媒体に記録する記録手段と、該記録媒体に記録された該タイムコード付きの入力データの位置を示す情報を管理する管理手段と、該タイムコード付きの入力データを該記録媒体に記録している間に、該管理手段によって管理された情報に基づいて、該記録媒体に記録されたタイムコード付きのデータを再生する再生手段と、該再生手段によって再生された該タイムコード付きデータを所定の比率で間引く間引き手段と、該入力データのタイムコードと該間引き手段によって間引かれたデータのタイムコードとを比較する比較手段と、該比較手段による比較結果に応じて、該入力データと該間引き手段によって間引かれたデータのうち少なくとも一方を選択的に出力する選択出力手段とを備えており、これにより上記目的が達成される。
【００２５】
　前記装置は、前記タイムコード付きの入力データを圧縮する圧縮手段と、前記再生手段によって再生されたタイムコード付きのデータを伸張する伸張手段とをさらに備えていてもよい。
【００２６】
　前記選択出力手段は、前記タイムコード付き入力データと前記間引かれたタイムコード付きデータのそれぞれに優先順位を付与する手段を備えており、前記装置は、前記選択出力手段の出力を所定の態様で表示する表示手段であって、該所定の態様は、該優先順位に応じて変更される表示手段をさらに備えていてもよい。本発明の他の装置は、データを記録再生する装置であって、入力データを受信する受信手段と、タイムコードを発生させ、該タイムコードを該入力データに付与するタイムコード発生手段と、該タイムコード付きの入力データを第１の比率で間引く第１間引き手段と、該第１間引き手段によって間引かれたタイムコード付きの入力データを記録媒体に記録する記録手段と、該記録媒体に記録された該タイムコード付きの入力データの位置を示す情報を管理する管理手段と、該タイムコード付きの入力データを該記録媒体に記録している間に、該管理手段によって管理された情報に基づいて、該記録媒体に記録されたタイムコード付きのデータを再生する再生手段と、該再生手段によって再生された該タイムコード付きデータを第２の比率で間引く第２間引き手段と、該入力データのタイムコードと該第２間引き手段によって間引かれたデータのタイムコードとを比較する比較手段と、該比較手段による比較結果に応じて、該入力データと該第２間引き手段によって間引かれたデータのうち少なくとも一方を選択的に出力する選択出力手段とを備えており、これにより上記目的が達成される。
【００２７】
　前記装置は、前記第１間引き手段によって間引かれたタイムコード付きの入力データを圧縮する圧縮手段と、前記再生手段によって再生されたタイムコード付きのデータを伸張する伸張手段とをさらに備えていてもよい。
【００２８】
　前記選択出力手段は、前記タイムコード付き入力データと前記間引かれたタイムコード付きデータのそれぞれに優先順位を付与する手段を備えており、前記装置は、前記選択出力手段の出力を所定の態様で表示する表示手段であって、該所定の態様は、該優先順位に応じて変更される表示手段をさらに備えていてもよい。
【００２９】
　本発明の方法は、データを記録再生する方法であって、（ａ）入力データを受信するステップと、（ｂ）該入力データを記録媒体に記録するステップと、（ｃ）該記録媒体に記録された該入力データの位置を示す情報を管理するステップと、（ｄ）該入力データを該記録媒体に記録している間に、ステップ（ｃ）において管理された情報に基づいて、該記録媒体に記録されたデータを再生するステップと、（ｅ）該入力データとステップ（ｄ）において再生されたデータのうち少なくとも一方を選択的に出力するステップとを包含しており、これにより上記目的が達成される。
【００３０】
　前記方法は、前記入力データを圧縮するステップと、前記再生されたデータを伸張するステップとをさらに包含していてもよい。
【００３１】
　前記ステップ（ｅ）は、前記入力データと前記再生されたデータのそれぞれに優先順位を付与するステップを包含しており、前記方法は、前記ステップ（ｅ）における選択的な出力を所定の態様で表示するステップであって、該所定の態様は、該優先順位に応じて変更されるステップをさらに包含していてもよい。
【００３２】
　本発明の他の方法は、複数のチャンネルのデータを記録再生する方法であって、（ａ）Ｎ個のチャンネルの入力データを受信するステップと、（ｂ）Ｎ個のチャンネルのうちＭ個のチャンネルを選択するステップと、（ｃ）ステップ（ｂ）において選択されたＭ個のチャンネルの入力データを記録媒体に記録するステップと、（ｄ）該記録媒体に記録された該Ｍ個のチャンネルの入力データの位置を示す情報を管理するステップと、（ｅ）該記録媒体に記録された複数のチャンネルのうちＰ個のチャンネルを選択するステップと、（ｆ）該Ｍ個のチャンネルの入力データを該記録媒体に記録している間に、ステップ（ｄ）において管理された情報に基づいて、該記録媒体に記録された複数のチャンネルのうちステップ（ｅ）において選択されたＰ個のチャンネルのデータを再生するステップと、（ｇ）該Ｎ個のチャンネルの入力データと該再生されたＰ個のチャンネルのデータのうち少なくとも１つを選択的に出力するステップとを包含しており、Ｎ、Ｍ、Ｐは正の整数であり、Ｎ≧Ｍであり、これにより上記目的が達成される。
【００３３】
　前記方法は、前記入力データを圧縮するステップと、前記再生されたデータを伸張するステップとをさらに包含していてもよい。
【００３４】
　前記ステップ（ｇ）は、前記入力データと前記再生されたデータのそれぞれに優先順位を付与するステップを包含しており、前記方法は、前記ステップ（ｇ）における選択的な出力を所定の態様で表示するステップであって、該所定の態様は、該優先順位に応じて変更されるステップをさらに包含していてもよい。
【００３５】
　本発明の他の方法は、データを記録再生する方法であって、（ａ）入力データを受信するステップと、（ｂ）タイムコードを発生させ、該タイムコードを該入力データに付与するステップと、（ｃ）該タイムコード付きの入力データを所定の比率で間引くステップと、（ｄ）ステップ（ｃ）において間引かれた該タイムコード付きの入力データを記録媒体に記録するステップと、（ｅ）該記録媒体に記録された該タイムコード付きの入力データの位置を示す情報を管理するステップと、（ｆ）該タイムコード付きの入力データを該記録媒体に記録している間に、ステップ（ｅ）において管理された情報に基づいて、該記録媒体に記録されたタイムコード付きデータを再生するステップと、（ｇ）該入力データのタイムコードとステップ（ｆ）において再生されたデータのタイムコードとを比較するステップと、（ｈ）ステップ（ｇ）における比較結果に応じて、該入力データと該再生されたデータのうち少なくとも一方を選択的に出力するステップとを包含しており、これにより上記目的が達成される。
【００３６】
　前記方法は、前記ステップ（ｃ）において間引かれたタイムコード付きの入力データを圧縮するステップと、前記ステップ（ｆ）において再生されたタイムコード付きのデータを伸張するステップとをさらに包含していてもよい。
【００３７】
　前記ステップ（ｈ）は、前記タイムコード付き入力データと前記再生されたタイムコード付きデータのそれぞれに優先順位を付与するステップを包含しており、前記方法は、前記ステップ（ｈ）における選択的な出力を所定の態様で表示するステップであって、該所定の態様は、該優先順位に応じて変更されるステップをさらに包含していてもよい。
【００３８】
　本発明の他の方法は、データを記録再生する方法であって、（ａ）入力データを受信するステップと、（ｂ）タイムコードを発生させ、該タイムコードを該入力データに付与するステップと、（ｃ）該タイムコード付きの入力データを記録媒体に記録するステップと、（ｄ）該記録媒体に記録された該タイムコード付きの入力データの位置を示す情報を管理するステップと、（ｅ）該タイムコード付きの入力データを該記録媒体に記録している間に、ステップ（ｄ）において管理された情報に基づいて、該記録媒体に記録されたタイムコード付きのデータを再生するステップと、（ｆ）ステップ（ｅ）において再生された該タイムコード付きデータを所定の比率で間引くステップと、（ｇ）該入力データのタイムコードとステップ（ｆ）において間引かれたデータのタイムコードとを比較するステップと、（ｈ）ステップ（ｇ）における比較結果に応じて、該入力データとステップ（ｆ）において間引かれたデータのうち少なくとも一方を選択的に出力するステップとを包含しており、これにより上記目的が達成される。
【００３９】
　前記方法は、前記タイムコード付きの入力データを圧縮するステップと、前記ステップ（ｅ）において再生されたタイムコード付きのデータを伸張するステップとをさらに包含していてもよい。
【００４０】
　前記ステップ（ｈ）は、前記タイムコード付き入力データと前記間引かれたタイムコード付きデータのそれぞれに優先順位を付与するステップを包含しており、前記方法は、前記ステップ（ｈ）における選択的な出力を所定の態様で表示するステップであって、該所定の態様は、該優先順位に応じて変更されるステップをさらに包含していてもよい。
【００４１】
　本発明の他の方法は、データを記録再生する方法であって、（ａ）入力データを受信するステップと、（ｂ）タイムコードを発生させ、該タイムコードを該入力データに付与するステップと、（ｃ）該タイムコード付きの入力データを第１の比率で間引くステップと、（ｄ）ステップ（ｃ）において間引かれたタイムコード付きの入力データを記録媒体に記録するステップと、（ｅ）該記録媒体に記録された該タイムコード付きの入力データの位置を示す情報を管理するステップと、（ｆ）該タイムコード付きの入力データを該記録媒体に記録している間に、ステップ（ｅ）において管理された情報に基づいて、該記録媒体に記録されたタイムコード付きのデータを再生するステップと、（ｇ）ステップ（ｆ）において再生された該タイムコード付きデータを第２の比率で間引くステップと、（ｈ）該入力データのタイムコードとステップ（ｇ）において間引かれたデータのタイムコードとを比較するステップと、（ｉ）ステップ（ｈ）における比較結果に応じて、該入力データとステップ（ｇ）において間引かれたデータのうち少なくとも一方を選択的に出力するステップとを包含しており、これにより上記目的が達成される。
　前記方法は、前記ステップ（ｃ）において間引かれたタイムコード付きの入力データを圧縮するステップと、前記ステップ（ｆ）において再生されたタイムコード付きのデータを伸張するステップとをさらに包含していてもよい。
【００４２】
　前記ステップ（ｉ）は、前記タイムコード付き入力データと前記間引かれたタイムコード付きデータのそれぞれに優先順位を付与するステップを包含しており、前記方法は、前記ステップ（ｉ）における選択的な出力を所定の態様で表示するステップであって、該所定の態様は、該優先順位に応じて変更されるステップをさらに包含していてもよい。
【発明の効果】
【００４３】
　本発明によれば、放送中の番組の記録を継続しながらその番組の最初から再生する「時間差再生」機能を実現することができる。これにより、放送中のある番組の視聴を中断せざるを得ない場合において、後にその番組の視聴を中断したところからその番組の視聴を再開することが可能となる。このような「時間差再生」機能をマルチチャンネルに対応して実現することも可能である。
【００４４】
　また、本発明によれば、「時間差早送り再生」機能を実現することができる。これにより、放送中のある番組の視聴を中断せざるを得ない場合において、後にその番組の視聴を中断したところからその番組の視聴を再開することが可能となる。記録時にデータの間引きを行うことにより、記憶部３０に記録するデータ量を削減することができる。再生時にデータの間引きを行うことにより、再生時に再生速度を自由に設定し、もしくは、変更することができる。このことは、ユーザのニーズに沿った再生を容易にする。
【００４５】
　また、記録時にデータを圧縮し、再生時にデータを伸張することにより、記憶部３０に記録するデータ量を削減することができる。
【発明を実施するための最良の形態】
【００４６】
　以下、図面を参照しながら本発明の実施の形態を説明する。
【００４７】
　（実施の形態１）
　図１は、本発明による実施の形態１の映像および音声を記録再生する装置１００の構成を示す。装置１００は、「時間差再生」機能を有する。ここで、「時間差再生」機能とは、放送中の番組の記録を継続しながらその番組の最初から再生する機能であると定義する。
【００４８】
　例えば、ある番組の後半の記録を継続しつつ、その番組の前半をもう１度見たい場合に、「時間差再生」機能は有用である。ユーザはその番組の後半の記録の終了を待つことなくその番組の前半を最初から再生することができるからである。
【００４９】
　また、午後９時から午後１１時まである番組を留守番録画していた場合において、その留守番録画中（例えば、午後９時３０分）にユーザが帰宅し、午後１１時より前にユーザが留守番録画された番組の再生を開始したい場合に、「時間差再生」機能は有用である。ユーザは留守番録画の終了を待つことなくその番組を最初から再生することができるからである。
【００５０】
　また、放送中のある番組の視聴を中断せざるを得ない場合において、後にその番組の視聴を中断したところからその番組の視聴を再開したい場合にも、「時間差再生」機能は有用である。ユーザはその番組の記録の終了を待つことなくその番組の視聴を中断したところからその番組を再生することができるからである。
【００５１】
　以下、図１を参照して、装置１００の各構成要素を説明する。
【００５２】
　放送受信部１０は、映像および音声の放送を受信する。放送受信部１０は、通常、複数のチャンネルの放送を受信できるように構成されている。放送受信部１０は、入力部１４からのチャンネル選択信号に応じて、複数のチャンネルのうちの１つのチャンネルを選択し、選択されたチャンネルに対応する映像および音声を映像／音声記録部２２と選択出力部５０とに出力する。チャンネル選択信号は、ライン１０１を介して入力部１４から放送受信部１０に入力される。
【００５３】
　映像／音声記録部２２は、放送受信部１０からの映像および音声を記憶部３０のどこに記録するかを記憶領域管理部３１に問い合わせ、その問い合わせの応答として、その映像および音声を記録する位置を示す情報を得る。映像／音声記録部２２は、記憶部３０においてその情報によって示される位置にその映像および音声を記録する。このような位置情報は、記憶領域管理部３１によって決定され、後述するように、映像／音声再生部４０によって時間差再生が行われる際に参照される。この位置情報は、例えば、記録媒体上のアドレスであってよい。
【００５４】
　映像／音声記録部２２には、ライン１０２を介して記録開始信号と記録終了信号と時間差再生終了信号とが入力部１４から入力される。映像／音声記録部２２は、記録開始信号に応答して記録動作を開始し、記録終了信号または時間差再生終了信号に応答して記録動作を終了する。
【００５５】
　記憶部３０は、映像および音声を記憶部３０に記録する動作と並行して、記憶部３０に記録された映像および音声を再生する動作を実行する機能を有する。例えば、記憶部３０は、互いに独立に駆動可能な記録用ヘッドと再生用ヘッドとを有する光ディスク駆動装置およびそのような複数のヘッドを有するハードディスク駆動装置であり得る。
【００５６】
　図２は、記憶部３０の具体的な構成例を示す。記憶部３０は、記録媒体１１０にデータを記録する記録用ヘッド１１２と、記録媒体１１０に記録されたデータを再生する再生用ヘッド１１４と、記録用ヘッド１１２を制御する記録用コントローラ１１６と、再生用ヘッド１１４を制御する再生用コントローラ１１８とを有している。
【００５７】
　記録用コントローラ１１６は、映像／音声記録部２２から記録媒体１１０に書き込むべきデータとそのデータを書き込むべき位置を示す情報（例えば、記録媒体１１０上のアドレス）とを受け取る。記録用コントローラ１１６は、位置情報に基づいて記録用ヘッド１１２の位置を制御し、記録用ヘッド１１２を介してそのデータを記録媒体１１０に書き込む。
【００５８】
　再生用コントローラ１１８は、映像／音声再生部４０から記録媒体１１０から読み出すデータの位置を示す情報（例えば、記録媒体１１０上のアドレス）を受け取る。再生用コントローラ１１８は、位置情報に基づいて再生用ヘッド１１４の位置を制御し、再生用ヘッド１１４を介してその位置情報に対応するデータを記録媒体１１０から読み出す。
【００５９】
　このように、記録用コントローラ１１６と再生用コントローラ１１８とは互いに独立に制御される。その結果、記録用ヘッド１１２と再生用ヘッド１１４とは互いに独立に制御される。これにより、映像および音声を記録媒体１１０に記録する動作と並行して、記録媒体１１０に記録された映像および音声を再生する動作を実行することが可能となる。
【００６０】
　図３は、記憶部３０の他の具体的な構成例を示す。記録部３０は、調停部１２２と、ランダムアクセスメモリ１２０とを有している。
【００６１】
　調停部１２２は、映像／音声記録部２２から書き込み命令を受け取り、映像／音声再生部４０から読み出し命令を受け取る。調停部１２２は、書き込み命令と読み出し命令とを調停することにより、ランダムアクセスメモリ１２０に書き込み命令と読み出し命令とをシーケンシャルに出力する。その結果、ランダムアクセスメモリ１２０に対して同時にアクセスすることが回避される。ランダムアクセスメモリ１２０に対する書き込み命令と読み出し命令のサイクルを十分に小さくすることにより、ランダムアクセスメモリ１２０にデータを書き込む動作とランダムアクセスメモリ１２０からデータを読み出す動作とが実質的に並行動作するとみなすことができる。従って、このような構成によっても、映像および音声を記憶部３０に記録する動作と並行して、記憶部３０に記録された映像および音声を再生する動作を実行することが可能となる。
【００６２】
　図１を再び参照して、映像／音声再生部４０は、記憶部３０からの映像および音声を再生する。映像／音声再生部４０には、ライン１０３を介して再生開始信号と再生終了信号と時間差再生開始信号と時間差再生終了信号とが入力部１４から入力される。
【００６３】
　映像／音声再生部４０は、再生開始信号と再生終了信号とに応答して、通常の再生動作を開始し、終了する。映像／音声再生部４０は、時間差再生開始信号に応答して、記録領域管理部３１によって管理されている映像および音声の位置情報を受け取り、その位置情報に基づいて、映像および音声の再生を開始する。映像／音声再生部４０は、時間差再生終了信号に応答して再生動作を終了する。
【００６４】
　記憶領域管理部３１は、記憶部３０に記憶された映像および音声の記憶領域を管理し、新たに記憶される映像および音声の記録領域を決定する。具体的には、記憶領域管理部３１は、映像および音声が記録された記憶部３０における位置を示す情報（例えば、記録媒体上のアドレス）を記憶するための領域Ｒを有している。
【００６５】
　記録開始信号が映像／音声記録部２２に入力されると、映像／音声記録部２２は記録動作を開始する。映像／音声記録部２２は、放送受信部１０からの映像および音声を記憶部３０のどこに記録するかを記憶領域管理部３１に問い合わせ、その問い合わせの応答として、その映像および音声を記録する位置を示す情報を得る。記憶領域管理部３１は、その映像および音声を記録する位置を決定し、その位置を示す情報を領域Ｒに格納する。
【００６６】
　その記録動作の終了後、記録開始信号が、再度、映像／音声記録部２２に入力された場合には、新たな位置情報が記憶領域管理部３１内の領域Ｒに上書きされる。このように、記憶領域管理部３１は、最新の位置情報のみを保持する。
【００６７】
　時間差再生開始信号が映像／音声再生部４０に入力されると、映像／音声再生部４０は、記憶領域管理部３１内の領域Ｒを参照して位置情報を読み出し、その位置情報によって示される位置から映像および音声の再生を開始する。
【００６８】
　選択出力部５０は、放送受信部１０から出力される映像および音声と映像／音声再生部４０とから出力される映像および音声のうち少なくとも一方を選択的に出力する。選択出力部５０は、放送受信部１０の出力と映像／音声再生部４０の出力のうち一方のみを選択的に出力してもよいし、放送受信部１０の出力と映像／音声再生部４０の出力のそれぞれに優先順位をつけてその両方を出力してもよい。
【００６９】
　優先順位は、映像表示部６０における映像表示の態様あるいは音声出力部７０における音声出力の態様を決定するために使用される。例えば、選択出力部５０が放送受信部１０の出力に優先順位「１」を付与し、映像／音声再生部４０の出力に優先順位「２」を付与したと仮定する。この場合、映像表示部６０は、例えば、放送受信部１０から出力された映像をメイン画面に表示し、映像／音声再生部４０から出力された映像をサブ画面に表示する。同様にして、映像表示部６０は、優先順位に従った任意の表示態様を採用し得る。音声出力部７０は、例えば、放送受信部１０から出力された音声を大音量で出力し、映像／音声再生部４０から出力された音声を小音量で出力する。同様にして、音声出力部７０は、優先順位に従った任意の出力態様を採用し得る。
【００７０】
　選択出力部５０における選択は、入力部１４からライン１０４を介して入力される映像／音声選択信号に応答してなされる。映像／音声選択信号は、ユーザが手動で放送受信部１０からの出力と映像／音声再生部４０からの出力とを切り換えるために使用される。また、選択出力部５０における選択は、入力部１４からライン１０４を介して入力される時間差再生開始信号および時間差再生終了信号に応答してなされる。
【００７１】
　次に、図４（ａ）〜（ｄ）を参照して、「時間差再生」機能に関連する装置１００の動作を説明する。
【００７２】
　図４（ａ）〜（ｄ）は、放送受信部１０の出力（入力データ）と、記憶部３０への入力（記録データ）と、記憶部３０の出力（再生データ）と、選択出力部５０の出力（出力データ）との間の時間的な関係を示す。
【００７３】
　図４（ａ）〜（ｄ）において、番号づけられた矩形は、それぞれ、記録再生の１単位を示す。例えば、これらは、１フレームであってもよいし、１フィールドであってもよい。また、これらは、アナログデータであるとデジタルデータであるとを問わない。
【００７４】
　時刻Ｔ１において、記録開始信号が入力部１４から入力されると、その記録開始信号は、ライン１０２を介して映像／音声記録部２２に供給される。その結果、映像／音声記録部２２は、記録動作を開始する。これにより、入力データ（データ１、２、３、４．．．）が記憶部３０に順次記録される（図４（ａ）および図４（ｂ））。
【００７５】
　時刻Ｔ２において、時間差再生開始信号が入力部１４から入力されると、その時間差再生開始信号は、ライン１０３を介して映像／音声再生部４０に供給され、ライン１０４を介して選択出力部５０に供給される。その結果、映像／音声再生部４０は、記録データの先頭から再生動作を開始する。これにより、時刻Ｔ２から、記録データ（データ１，２，３，４．．．）が再生データとして順次再生される（図４（ｃ））。また、選択出力部５０は、少なくとも再生データが選択的に出力されるように、それの出力を自動的に変更する。その結果、少なくとも再生データが出力データとして選択出力部５０から出力される（図４（ｄ））。
【００７６】
　時刻Ｔ３において、時間差再生終了信号が入力部１４から入力されると、その時間差再生終了信号は、ライン１０２を介して映像／音声記録部２２に供給され、ライン１０３を介して映像／音声再生部４０に供給され、ライン１０４を介して選択出力部５０に供給される。その結果、映像／音声記録部２２は、記録動作を終了する。映像／音声再生部４０は、再生動作を終了する。選択出力部５０は、少なくとも時間差再生開始信号が入力される直前の出力が選択的に出力されるように、それの出力を自動的に変更する。
【００７７】
　このように、時刻Ｔ２から時刻Ｔ３に至るまで、記憶部３０に映像および音声を記録する動作と並行して、記憶部３０に記憶された映像および音声を再生する動作が実行される。
【００７８】
　図４に示される動作の例では、データ９〜１２は、記憶部３０に記録されている。しかし、データ９〜１２は、映像／音声再生部４０によって再生されない。従って、図５に示すように、時刻Ｔ４において、記録終了信号を入力部１４から入力することにより、時刻Ｔ４において映像／音声記録部２２が記録動作を終了するようにしても、図４に示す動作と同一の動作が得られる。
【００７９】
　このように、時刻Ｔ４において記録終了信号を入力することにより、冗長なデータを記憶部３０に記録することを防止することができる。例えば、記録したい番組の長さが予めわかっている場合には、このような記録終了信号をタイミングよく入力することが可能である。
【００８０】
　なお、記録開始信号と記録終了信号とは、ユーザが手動で入力するようにしてもよいし、公知の留守番録画機能を利用して、予めセットされた時刻に記録開始信号と記録終了信号とが自動的に入力されるようにしてもよい。
【００８１】
　上述した実施の形態１では、従来から存在する再生開始信号と再生終了信号とは別に、時間差再生開始信号と時間差再生終了信号とが設けられている。このような信号の生成を最も容易に実現する方法は、ユーザが再生開始命令および再生終了命令を入力部１４に入力した場合に、入力部１４が再生開始信号および再生終了信号を生成し、ユーザが時間差再生開始命令および時間差再生終了命令を入力部１４に入力した場合に、入力部１４が時間差再生開始信号および時間差再生終了信号を生成する方法である。しかし、ユーザが、再生開始命令と時間差再生開始命令とを区別し、再生終了命令と時間差再生終了信号とを区別してそれらの命令を入力部１４に入力することは、ユーザにとって煩雑であるかもしれない。
【００８２】
　装置１００が記録動作状態であるか否かを判定する状態判定部１５（不図示）を装置１００に追加することにより、再生開始命令と時間差再生開始命令との区別と、再生終了命令と時間差再生終了命令との区別とを不要にすることができる。
【００８３】
　状態判定部１５は、装置１００が記録動作状態であるか否かを判定する。このような判定は、例えば、入力部１４から映像／音声記録部２２に入力される記録開始信号および記録終了信号を監視することにより、達成される。ユーザから再生開始命令が入力部１４に入力されると、入力部１４は、装置１００が記録動作状態であるか否かの判定を状態判定部１５に問い合わせる。状態判定部１５は、その問い合わせに応答して判定結果を入力部１４に返す。その判定結果が「装置１００は記録動作状態ではない」旨である場合には、入力部１４は、再生開始信号を生成する。その再生開始信号は、映像／音声再生部４０に供給される。その判定結果が「装置１００は記録動作状態である」旨である場合には、入力部１４は、時間差再生開始信号を生成する。その時間差再生開始信号は、映像／音声再生部４０と選択出力部５０とに供給される。
【００８４】
　また、状態判定部１５は、再生開始信号と時間差再生開始信号のうちいずれが最も最近に生成されたかを判定する。このような判定は、例えば、入力部１４によって生成される再生開始信号および時間差再生開始信号を監視することにより、達成される。ユーザから再生終了命令が入力部１４に入力されると、入力部１４は、再生開始信号と時間差再生開始信号のうちいずれが最も最近に生成されたかの判定を状態判定部１５に問い合わせる。状態判定部１５は、その問い合わせに応答して判定結果を入力部１４に返す。その判定結果が「再生開始信号である」旨である場合には、入力部１４は、再生終了信号を生成する。その再生終了信号は、映像／音声再生部４０に供給される。その判定結果が「時間差再生開始信号である」旨である場合には、入力部１４は、時間差再生終了信号を生成する。その時間差再生終了信号は、映像／音声記録部２２と映像／音声再生部４０と選択出力部５０とに供給される。
【００８５】
　このようにして、時間差再生開始命令と時間差再生終了命令を使用することなく、図４および図５に示す動作と同一の動作を得ることができる。なお、状態判定部１５は、入力部１４に内蔵されていてもよい。
【００８６】
　（実施の形態２）
　図６は、本発明による実施の形態２の映像および音声を記録再生する装置２００の構成を示す。装置２００の構成は、映像／音声圧縮部２１と映像／音声伸張部４１とが追加されている点を除いて、図１に示される装置１００の構成と同一である。従って、同一の構成要素には同一の参照番号を付し、その説明を省略する。
【００８７】
　映像／音声圧縮部２１は、放送受信部１０から出力される映像および音声を所定の方法で圧縮する。映像／音声伸張部４１は、映像／音声再生部４０から出力される映像および音声を所定の方法で伸張する。圧縮方法および伸張方法としては、任意の方法を採用することができる。例えば、ＭＰＥＧ１、ＭＰＥＧ２という規格に基づく圧縮方法および伸張方法を採用してもよい。
【００８８】
　実施の形態２によれば、実施の形態１と同様の効果に加えて、放送受信部１０の出力を圧縮することにより、記憶部３０に記録するデータ量を削減することができる。これにより、実施の形態１に比較して、データ転送速度または記憶容量の小さい低価格の記憶デバイスを記憶部３０として使用することが可能となる。また、実施の形態２において、実施の形態１と同一の記憶部３０を使用する場合には、記憶部３０の記録時間を大幅に増大させることが可能となる。
【００８９】
　（実施の形態３）
　図７は、本発明による実施の形態３の映像および音声を記録再生する装置３００の構成を示す。装置３００は、マルチチャンネルに対応した「時間差再生」機能を有する。ここで、マルチチャンネルに対応した「時間差再生」機能とは、放送中の複数のチャンネルの番組の記録を継続しながらそれら番組のうち複数のチャンネルの番組を最初から再生する機能であると定義する。
【００９０】
　以下、図７を参照して、装置３００の各構成要素を説明する。
【００９１】
　Ｎチャンネル放送受信部１２は、放送中のＮ個のチャンネルの映像および音声を受信する。ここで、Ｎは正の整数である。
【００９２】
　Ｍチャンネル選択部１３は、入力部１６からのチャンネル選択信号に応じて、Ｎ個のチャンネルのうちＭ個のチャンネルを選択し、選択されたＭ個のチャンネルに対応する映像および音声をＭチャンネル映像／音声記録部２３に出力する。チャンネル選択信号は、ライン３０１を介して入力部１６からＭチャンネル選択部１３に入力される。ここで、Ｍは正の整数であり、Ｎ≧Ｍである。
【００９３】
　Ｍチャンネル映像／音声記録部２３は、Ｍチャンネル選択部１３からのＭ個のチャンネルの映像および音声を記憶部３２のどこに記録するかを記憶領域管理部３３に問い合わせ、その問い合わせの応答として、その映像および音声を記録する位置を示す情報を得る。Ｍチャンネル映像／音声記録部２３は、記憶部３２においてその情報によって示される位置にその映像および音声を記録する。このような位置情報は、記憶領域管理部３３によって決定され、後述するように、Ｐチャンネル映像／音声再生部４２によって時間差再生が行われる際に参照される。この位置情報は、例えば、記録媒体上のアドレスであってよい。
【００９４】
　Ｍチャンネル映像／音声記録部２３には、ライン３０２を介して記録開始信号と記録終了信号と時間差再生終了信号とが入力部１６から入力される。Ｍチャンネル映像／音声記録部２３は、記録開始信号に応答して記録動作を開始し、記録終了信号または時間差再生終了信号に応答して記録動作を終了する。
【００９５】
　記憶部３２は、映像および音声を記憶部３２に記録する動作と並行して、記憶部３２に記録された映像および音声を再生する動作を実行する機能を有する。例えば、記憶部３２は、互いに独立に駆動可能なＭ個の記録用ヘッドとＰ個の再生用ヘッドとを有する光ディスク駆動装置およびそのような複数のヘッドを有するハードディスク駆動装置であり得る。あるいは、記憶部３２は、ランダムアクセス可能な半導体メモリであってもよい。記憶部３２は、図２および図３を参照して説明した記憶部３０と同様にして構成され得る。
【００９６】
　Ｐチャンネル映像／音声再生部４２は、入力部１６からのチャンネル選択信号に応じて、記憶部３２に記録されている複数のチャンネルのうちＰ個のチャンネルを選択し、選択されたＰ個のチャンネルに対応する映像および音声を再生する。そのＰ個のチャンネルは、現在記録中のＭ個のチャンネルの他、以前に記憶部３０に記録されたチャンネルから選択されてもよい。チャンネル選択信号は、ライン３０３を介して入力部１６からＰチャンネル映像／音声再生部４２に入力される。ここで、Ｐは正の整数である。
【００９７】
　Ｐチャンネル映像／音声再生部４２には、ライン３０３を介して再生開始信号と再生終了信号と時間差再生開始信号と時間差再生終了信号とが入力部１６から入力される。
【００９８】
　Ｐチャンネル映像／音声再生部４２は、再生開始信号と再生終了信号とに応答して、Ｐ個のチャンネルの再生動作を開始し、終了する。Ｐチャンネル映像／音声再生部４２は、時間差再生開始信号に応答して、記憶領域管理部３３によって管理されている映像および音声の位置情報を受け取り、その位置情報に基づいて、Ｐ個のチャンネルの映像および音声の再生を開始する。Ｐチャンネル映像／音声再生部４２は、時間差再生終了信号に応答してＰチャンネルの再生動作を終了する。
【００９９】
　記憶領域管理部３３は、記憶部３２に記憶された複数のチャンネルの映像および音声の記憶領域を管理し、新たに記憶される映像および音声の記録領域を決定する。具体的には、記憶領域管理部３３は、複数のチャンネルの映像および音声が記録された記憶部３２における位置を示す情報（例えば、記録媒体上のアドレス）を記憶するための領域Ｒ1〜ＲM+Kを有している。
【０１００】
　記録開始信号がＭチャンネル映像／音声記録部２３に入力されると、Ｍチャンネル映像／音声記録部２３はＭ個のチャンネルの記録動作を開始する。Ｍチャンネル映像／音声記録部２３は、Ｍチャンネル選択部１３からのＭ個のチャンネルの映像および音声を記憶部３２のどこに記録するかを記憶領域管理部３３に問い合わせ、その問い合わせの応答として、その映像および音声を記録する位置を示す情報を得る。記憶領域管理部３３は、その映像および音声を記録する位置を決定し、その位置を示す情報を領域Ｒ1〜ＲM+Kに格納する。
【０１０１】
　その記録動作の終了後、記録開始信号が、再度、Ｍチャンネル映像／音声記録部２３に入力された場合には、新たな位置情報が記憶領域管理部３３内の領域Ｒ1〜ＲM+Kに上書きされる。このように、記憶領域管理部３３は、最新の位置情報のみを保持する。
【０１０２】
　時間差再生信号がＰチャンネル映像／音声再生部４２に入力されると、Ｐチャンネル映像／音声再生部４２は、記憶領域管理部３３内の領域Ｒ1〜ＲM+KのうちＰ個の領域を参照して位置情報を読み出し、その位置情報によって示される位置からＰ個のチャンネルの映像および音声の再生を開始する。
【０１０３】
　選択出力部５１は、Ｎチャンネル放送受信部１２から出力されるＮ個のチャンネルの映像および音声とＰチャンネル映像／音声再生部４２とから出力されるＰ個のチャンネルの映像および音声のうちＱ個のチャンネルの映像と１個のチャンネルの音声を少なくとも選択的に出力する。ここで、Ｑは正の整数であり、Ｎ＋Ｐ≧Ｑである。選択出力部５１は、Ｎチャンネル放送受信部１２の出力とＰチャンネル映像／音声再生部４２の出力のうちＱ個のチャンネルの映像と１個のチャンネルの音声のみを選択的に出力してもよいし、Ｎチャンネル放送受信部１２の出力とＰチャンネル映像／音声再生部４２の出力のそれぞれに優先順位をつけてその両方を出力してもよい。優先順位は、映像表示部６１における映像表示の態様あるいは音声出力部７１における音声出力の態様を決定するために使用される。例えば、選択出力部５１がＮチャンネル放送受信部１２の出力に優先順位「Ｐ1〜ＰN」を付与し、Ｐチャンネル映像／音声再生部４２の出力に優先順位「ＰN+1〜ＰN+P」を付与したと仮定する。この場合、映像表示部６１は、例えば、優先順位「Ｐi」を有する映像を優先順位「Ｐi」に比例した面積を有する画面に表示する。同様にして、映像表示部６１は、優先順位に従った任意の表示態様を採用し得る。音声出力部７１は、例えば、優先順位「Ｐi」を有する音声を優先順位「Ｐi」に比例した音量で出力する。ここで、ｉ＝１，２，３，．．．，Ｎ＋Ｐである。同様にして、音声出力部７１は、優先順位に従った任意の出力態様を採用し得る。ただし、音声出力部７１は、選択された１つの音声以外の音量をゼロとすることが好ましい。複数の音声の混同を防止するためである。
【０１０４】
　選択出力部５１における選択は、入力部１６からライン３０４を介して入力される映像／音声選択信号に応答してなされる。映像／音声選択信号は、ユーザが手動でＮチャンネル放送受信部１２からの出力とＰチャンネル映像／音声再生部４２からの出力とを切り換えるために使用される。また、選択出力部５１における選択は、入力部１６からライン３０４を介して入力される時間差再生開始信号および時間差再生終了信号に応答してなされる。
【０１０５】
　（実施の形態４）
　図８は、本発明による実施の形態４の映像および音声を記録再生する装置４００の構成を示す。装置４００の構成は、Ｍチャンネル映像／音声圧縮部２４とＰチャンネル映像／音声伸張部４４とが追加されている点を除いて、図７に示される装置３００の構成と同一である。従って、同一の構成要素には同一の参照番号を付し、その説明を省略する。
【０１０６】
　Ｍチャンネル映像／音声圧縮部２４は、Ｍチャンネル選択部１３から出力されるＭ個のチャンネルの映像および音声を所定の方法で圧縮する。Ｐチャンネル映像／音声伸張部４４は、Ｐチャンネル映像／音声再生部４２から出力されるＰ個のチャンネルの映像および音声を所定の方法で伸張する。圧縮方法および伸張方法としては、任意の方法を採用することができる。例えば、ＭＰＥＧ１、ＭＰＥＧ２という規格に基づく圧縮方法および伸張方法を採用してもよい。
【０１０７】
　実施の形態４によれば、実施の形態３と同様の効果に加えて、Ｍチャンネル選択部１３の出力を圧縮することにより、記憶部３２に記録するデータ量を削減することができる。これにより、実施の形態３に比較して、データ転送速度または記憶容量の小さい低価格の記憶デバイスを記憶部３２として使用することが可能となる。また、実施の形態４において、実施の形態３と同一の記憶部３２を使用する場合には、記憶部３２の記録時間を大幅に増大させることが可能となる。
【０１０８】
　（実施の形態５）
　図９は、本発明による実施の形態５の映像および音声を記録再生する装置５００の構成を示す。装置５００は、「時間差早送り再生」機能を有する。ここで、「時間差早送り再生」機能とは、放送中のある番組の視聴を中断する時点からその番組の記録を開始し、後にその番組の視聴を中断した時点から記録された映像および音声を早送り再生し、早送り再生された映像および音声が放送中の映像および音声に追いついた時点で早送り再生を自動的に停止し、放送中のその番組に自動的に切り替える機能という。例えば、放送中のある番組の視聴を中断せざるを得ない場合において、後にその番組の視聴を中断したところからその番組の視聴を再開したい場合に、「時間差早送り再生」機能は有用である。
【０１０９】
　装置５００の構成は、タイムコード発生部１１とコマ落とし部２０とタイムコード比較部５２とが追加されている点を除いて、図１に示される装置１００の構成と同一である。従って、同一の構成要素には同一の参照番号を付し、その詳細な説明を省略する。
【０１１０】
　タイムコード発生部１１は、タイムコードを発生させ、そのタイムコードを放送受信部１０から出力される映像および音声の１単位に付加する。映像および音声がデジタルデータである場合には、そのデジタルデータにタイムコードを示す複数のビットを追加することにより、タイムコードの付加が達成される。映像および音声がアナログデータである場合には、例えば、フレーム間の垂直帰線期間中にタイムコードを示すアナログ信号を挿入することにより、タイムコードの付加が達成される。ここで、タイムコードとは、時刻を識別するための情報をいう。また、映像および音声の１単位とは、記録再生のための１単位をいう。記録再生のための１単位は、例えば、１フレームであってもよいし、１フィールドであってもよい。なお、本実施の形態では、「映像および音声」というときは、特に断らない限り、タイムコードが付加された映像および音声を意味するものとする。
【０１１１】
　コマ落とし部２０は、タイムコードが付加された映像および音声から所定の比率で映像および音声を間引く。その所定の比率は、ライン１０５を介して入力部１４からコマ落とし部２０に入力される。例えば、その所定の比率が５０％である場合には、コマ落とし部２０は、放送受信部１０から出力される映像および音声の２単位のうち１単位を間引く。このような間引きの単位は、１フレームであってもよいし、１フィールドであってもよい。このようにして、コマ落とし部２０によって間引かれた映像および音声が映像／音声記録部２２に供給される。その結果、映像／音声記録部２２は、間引かれた映像および音声を記憶部３０に記録する。
【０１１２】
　映像／音声再生部４０は、記憶部３０に記録された映像および音声を再生する。上述したように、記憶部３０に記録された映像および音声は、コマ落とし部２０によって間引かれたものである。映像／音声再生部４０は、間引かれた音声が正常な音声として人間が認識できるように、間引かれた音声に信号処理を施す。その信号処理は、例えば、無音区間を短縮したり、再生された音声を滑らかにつなぎあわせたりする処理であり、いずれも周知の処理である。
【０１１３】
　タイムコード比較部５２は、放送受信部１０から出力される映像および音声のタイムコードＴＣ１と映像／音声再生部４０から出力される映像および音声のタイムコードＴＣ２とを比較する。タイムコードＴＣ２によって示される時刻がタイムコードＴＣ１によって示される時刻に一致するか、もしくは、タイムコードＴＣ１によって示される時刻より後になった場合には、タイムコード比較部５２は、映像／音声再生部４０の再生動作を停止させ、映像／音声記録部２２の記録動作を停止させ、選択出力部５０における選択を変更する。
【０１１４】
　選択出力部５０は、放送受信部１０から出力される映像および音声と映像／音声再生部４０から出力される映像および音声のうち少なくとも一方を選択的に出力する。選択出力部５０における選択は、タイムコード比較部５２から入力される映像／音声選択信号に応答してなされる。映像／音声選択信号は、早送り再生された映像および音声が放送中の映像および音声に追いついた場合に、映像／音声再生部４０から出力される映像および音声を放送受信部１０から出力される映像および音声に切り替えるために使用される。また、選択出力部５０における選択は、入力部１４からライン１０４を介して入力される時間差早送り再生開始信号に応答してなされる。
【０１１５】
　次に、図１０（ａ）〜（ｄ）を参照して、「時間差早送り再生」機能に関連する装置５００の動作を説明する。
【０１１６】
　図１０（ａ）〜（ｄ）は、放送受信部１０の出力（入力データ）と、記憶部３０への入力（記録データ）と、記憶部３０の出力（再生データ）と、選択出力部５０の出力（出力データ）との間の時間的な関係を示す。
【０１１７】
　図１０（ａ）〜（ｄ）において、番号づけられた矩形は、それぞれ、記録再生の１単位を示す。例えば、これらは、１フレームであってもよいし、１フィールドであってもよい。また、これらは、アナログデータであるとデジタルデータであるとを問わない。その番号づけられた矩形の上に、その矩形によって表されるデータに付加されたタイムコードが示されている。
【０１１８】
　時刻Ｔ１において、記録開始信号が入力部１４から入力されると、その記録開始信号は、ライン１０２を介して映像／音声記録部２２に供給される。その結果、映像／音声記録部２２は、記録動作を開始する。映像／音声記録部２２には、コマ落とし部２０によって間引きされた入力データ（データ５、７、９、１１．．．）が供給される。従って、コマ落とし部２０によって間引きされた入力データが記憶部３０に順次記録される（図１０（ａ）および図１０（ｂ））。
【０１１９】
　時刻Ｔ２において、時間差早送り再生開始信号が入力部１４から入力されると、その時間差早送り再生開始信号は、ライン１０３を介して映像／音声再生部４０に供給され、ライン１０４を介して選択出力部５０に供給される。その結果、映像／音声再生部４０は、記録データの先頭から再生動作を開始する。これにより、時刻Ｔ２から、記録データ（データ５，７，９，１１．．．）が再生データとして順次再生される（図１０（ｃ））。この再生動作と並行して、映像／音声記録部２２は記録動作を継続する。また、選択出力部５０は、時間差早送り再生開始信号に応答して、再生データを優先的に表示するように、入力データに対応する優先順位と再生データに対応する優先順位とを自動的に変更する。その結果、再生データが出力データとして優先的に選択出力部５０から出力される（図１０（ｄ））。
【０１２０】
　期間Ｐ１においては、放送受信部１０から出力される映像および音声のタイムコードＴＣ１によって示される時刻より映像／音声再生部４０から出力される映像および音声のタイムコードＴＣ２によって示される時刻の方が前である。その結果、映像／音声記録部２２は、記録動作を継続し、映像／音声再生部４０は、再生動作を継続する。
【０１２１】
　時刻Ｔ３において、早送り再生された映像および音声が放送中の映像および音声に追いつく。図１０（ｂ）および（ｃ）に示す例では、時刻Ｔ３において、タイムコードＴＣ１によって示される時刻（０１３）がタイムコードＴＣ２によって示される時刻（０１３）に一致する。この場合、タイムコード比較部５２は、記録終了信号を映像／音声記録部２２に送り、再生終了信号を映像／音声再生部４０に送り、映像／音声選択信号を選択出力部５０に送る。その結果、映像／音声記録部２２は、記録終了信号に応答して記録動作を終了する。映像／音声再生部４０は、再生終了信号に応答して再生動作を終了する。選択出力部５０は、映像／音声選択信号に応答して、入力データを優先的に表示するように、入力データに対応する優先順位と再生データに対応する優先順位とを自動的に変更する。その結果、入力データが出力データとして優先的に選択出力部５０から出力される（図１０（ｄ））。
【０１２２】
　このように、時刻Ｔ２から時刻Ｔ３に至るまで、記憶部３０に映像および音声を記録する動作と並行して、記憶部３０に記憶された映像および音声を再生する動作が実行される。
【０１２３】
　（実施の形態６）
　図１１は、本発明による実施の形態６の映像および音声を記録再生する装置６００の構成を示す。装置６００の構成は、映像／音声圧縮部２１と映像／音声伸張部４１とが追加されている点を除いて、図９に示される装置５００の構成と同一である。従って、同一の構成要素には同一の参照番号を付し、その説明を省略する。
【０１２４】
　映像／音声圧縮部２１は、コマ落とし部２０によって間引かれた映像および音声を所定の方法で圧縮する。映像／音声伸張部４１は、映像／音声再生部４０から出力される映像および音声を所定の方法で伸張する。圧縮方法および伸張方法としては、任意の方法を採用することができる。例えば、ＭＰＥＧ１、ＭＰＥＧ２という規格に基づく圧縮方法および伸張方法を採用してもよい。
【０１２５】
　実施の形態６によれば、実施の形態５と同様の効果に加えて、コマ落とし部２０の出力を圧縮することにより、記憶部３０に記録するデータ量を削減することができる。これにより、実施の形態５に比較して、データ転送速度または記憶容量の小さい低価格の記憶デバイスを記憶部３０として使用することが可能となる。また、実施の形態６において、実施の形態５と同一の記憶部３０を使用する場合には、記憶部３０の記録時間を大幅に増大させることが可能となる。
【０１２６】
　（実施の形態７）
　図１２は、本発明による実施の形態７の映像および音声を記録再生する装置７００の構成を示す。装置７００の構成は、映像／音声記録部２２の前のコマ落とし部２０が削除され、映像／音声再生部４０の後にコマ落とし部４５が追加されている点を除いて、図９に示される装置５００の構成と同一である。従って、同一の構成要素には同一の参照番号を付し、その詳細な説明を省略する。
【０１２７】
　装置７００によれば、記録動作において間引き処理は行われない。その結果、記憶部３０には、間引きされることなく放送受信部１０の出力が記録される。再生動作において、コマ落とし部４５は、映像／音声再生部４０によって再生された映像および音声から所定の比率で映像および音声を間引く。その所定の比率は、ライン１０６を介して入力部１４からコマ落とし部４５に入力される。例えば、その所定の比率が５０％である場合には、コマ落とし部４５は、映像／音声再生部４０から出力される映像および音声の２単位のうち１単位を間引く。このような間引きの単位は、１フレームであってもよいし、１フィールドであってもよい。このようにして、コマ落とし部４５によって間引かれた映像および音声がタイムコード比較部５２に供給される。
【０１２８】
　実施の形態７によれば、実施の形態５と同様の効果に加えて、映像および音声の間引き処理を再生時に行うことにより、再生時に再生速度を自由に設定し、もしくは、変更することができる。このことは、ユーザのニーズに沿った再生を容易にする。
【０１２９】
　（実施の形態８）
　図１３は、本発明による実施の形態８の映像および音声を記録再生する装置８００の構成を示す。装置８００の構成は、映像／音声圧縮部２１が追加され、コマ落とし部４５が映像／音声伸張部４１とコマ落とし部４６との組に置換されている点を除いて、図１２に示される装置７００の構成と同一である。従って、同一の構成要素には同一の参照番号を付し、その説明を省略する。
【０１３０】
　映像／音声圧縮部２１は、放送受信部１０から出力される映像および音声を所定の方法で圧縮する。映像／音声伸張部４１は、映像／音声再生部４０から出力される映像および音声を所定の方法で伸張する。コマ落とし部４６は、映像／音声伸張部４１と協調し間引き処理を行う。例えば、圧縮方法としてＭＰＥＧ１、ＭＰＥＧ２のようにフレーム間／フィールド間符号化を行う圧縮方法が採用される場合には、コマ落とし部４６の機能と映像／音声伸張部４１の機能は、Ｉフレームのみを伸張して出力することにより達成される。Ｉフレームのみを伸張して出力することにより、伸張とコマ落とし（間引き）とを同時に行うことができるからである。これにより、効率的なコマ落とし（間引き）が可能となる。
【０１３１】
　実施の形態８によれば、実施の形態７と同様の効果に加えて、放送受信部１０の出力を圧縮することにより、記憶部３０に記録するデータ量を削減することができる。これにより、実施の形態７に比較して、データ転送速度または記憶容量の小さい低価格の記憶デバイスを記憶部３０として使用することが可能となる。また、実施の形態８において、実施の形態７と同一の記憶部３０を使用する場合には、記憶部３０の記録時間を大幅に増大させることが可能となる。
【０１３２】
　（実施の形態９）
　図１４は、本発明による実施の形態９の映像および音声を記録再生する装置９００の構成を示す。装置９００の構成は、映像／音声記録部２２の前にコマ落とし部２０が追加されている点を除いて、図１２に示される装置７００の構成と同一である。従って、同一の構成要素には同一の参照番号を付し、その詳細な説明を省略する。
【０１３３】
　装置９００によれば、記録動作においても再生動作においても、間引き処理が行われる。
【０１３４】
　コマ落とし部２０は、記録動作において、放送受信部１０から出力された映像および音声から所定の比率で映像を間引く。その所定の比率は、ライン１０５を介して入力部１４からコマ落とし部４５に入力される。記憶部３０には、コマ落とし部２０によって間引きされた映像および音声が記録される。
【０１３５】
　コマ落とし部４５は、再生動作において、映像／音声再生部４０によって再生された映像および音声から所定の比率で映像および音声を間引く。その所定の比率は、ライン１０６を介して入力部１４からコマ落とし部４５に入力される。タイムコード比較部５２には、コマ落とし部４５によって間引かれた映像および音声が供給される。コマ落とし部２０における間引き比率とコマ落とし部４５における間引き比率とは独立に調整され得る。
【０１３６】
　実施の形態９によれば、実施の形態７と同様の効果に加えて、間引きされた映像および音声を記憶部３０に記録することにより、記憶部３０に記録するデータ量を削減することができる。これにより、実施の形態７に比較して、データ転送速度または記憶容量の小さい低価格の記憶デバイスを記憶部３０として使用することが可能となる。また、実施の形態９において、実施の形態７と同一の記憶部３０を使用する場合には、記憶部３０の記録時間を大幅に増大させることが可能となる。
【０１３７】
　（実施の形態１０）
　図１５は、本発明による実施の形態１０の映像および音声を記録再生する装置１０００の構成を示す。装置１０００の構成は、映像／音声圧縮部２１が追加され、コマ落とし部４５が映像／音声伸張部４１とコマ落とし部４６との組に置換されている点を除いて、図１４に示される装置９００の構成と同一である。従って、同一の構成要素には同一の参照番号を付し、その説明を省略する。
【０１３８】
　映像／音声圧縮部２１は、放送受信部１０から出力される映像および音声を所定の方法で圧縮する。映像／音声伸張部４１は、映像／音声再生部４０から出力される映像および音声を所定の方法で伸張する。コマ落とし部４６は、映像／音声伸張部４１と協調し間引き処理を行う。例えば、圧縮方法としてＭＰＥＧ１、ＭＰＥＧ２のようにフレーム間／フィールド間符号化を行う圧縮方法が採用される場合には、コマ落とし部４６の機能と映像／音声伸張部４１の機能は、Ｉフレームのみを伸張して出力することにより達成される。Ｉフレームのみを伸張して出力することにより、伸張とコマ落とし（間引き）とを同時に行うことができるからである。これにより、効率的なコマ落とし（間引き）が可能となる。
【０１３９】
　実施の形態１０によれば、実施の形態９と同様の効果に加えて、放送受信部１０の出力を圧縮することにより、記憶部３０に記録するデータ量を削減することができる。これにより、実施の形態９に比較して、データ転送速度または記憶容量の小さい低価格の記憶デバイスを記憶部３０として使用することが可能となる。また、実施の形態１０において、実施の形態９と同一の記憶部３０を使用する場合には、記憶部３０の記録時間を大幅に増大させることが可能となる。
【０１４０】
　上述した実施の形態１〜１０において、すべての構成要素は、物理的なデバイスによって実現され得る。しかし、それらの構成要素の機能をＣＰＵによって制御可能なソフトウェアによって実現することも可能である。特に、当業者であれば、放送受信部１０と記憶部３０以外の構成要素の機能はソフトウェアによって容易に実現できることを理解するだろう。
【図面の簡単な説明】
【０１４１】
【図１】本発明による実施の形態１の映像および音声を記録再生する装置１００の構成を示す図である。
【図２】装置１００における記憶部３０の具体的な構成例を示す図である。
【図３】装置１００における記憶部３０の他の具体的な構成例を示す図である。
【図４】（ａ）〜（ｄ）は、「時間差再生」機能に関連する装置１００の動作を示すタイムチャートである。
【図５】（ａ）〜（ｄ）は、「時間差再生」機能に関連する装置１００の他の動作を示すタイムチャートである。
【図６】本発明による実施の形態２の映像および音声を記録再生する装置２００の構成を示す図である。
【図７】本発明による実施の形態３の映像および音声を記録再生する装置３００の構成を示す図である。
【図８】本発明による実施の形態４の映像および音声を記録再生する装置４００の構成を示す図である。
【図９】本発明による実施の形態５の映像および音声を記録再生する装置５００の構成を示す図である。
【図１０】（ａ）〜（ｄ）は、「時間差早送り再生」機能に関連する装置５００の他の動作を示すタイムチャートである。
【図１１】本発明による実施の形態６の映像および音声を記録再生する装置６００の構成を示す図である。
【図１２】本発明による実施の形態７の映像および音声を記録再生する装置７００の構成を示す図である。
【図１３】本発明による実施の形態８の映像および音声を記録再生する装置８００の構成を示す図である。
【図１４】本発明による実施の形態９の映像および音声を記録再生する装置９００の構成を示す図である。
【図１５】本発明による実施の形態１０の映像および音声を記録再生する装置１０００の構成を示す図である。
【図１６】映像および音声を記録再生する従来の装置の構成を示す図である。
【符号の説明】
【０１４２】
　１０　放送受信部
　１１　タイムコード発生部
　１２　Ｎチャンネル放送受信部
　１３　Ｍチャンネル選択部
　１４、１６　入力部
　２０　コマ落とし部
　２１　映像／音声圧縮部
　２２　映像／音声記録部
　２３　Ｍチャンネル映像／音声記録部
　２４　Ｍチャンネル映像／音声圧縮部
　３０、３２　記憶部
　３１、３３　記憶領域管理部
　４０　映像／音声再生部
　４１　映像／音声伸張部
　４２　Ｐチャンネル映像／音声再生部
　４４　Ｐチャンネル映像／音声伸張部
　４５、４６　コマ落とし部
　５０、５１　選択出力部
　５２　タイムコード比較部
　６０、６１　映像表示部
　７０、７１　音声出力部
【図１】
2004015821.tif 000003
【図２】
2004015821.tif 000004
【図３】
2004015821.tif 000005
【図４】
2004015821.tif 000006
【図５】
2004015821.tif 000007
【図６】
2004015821.tif 000008
【図７】
2004015821.tif 000009
【図８】
2004015821.tif 000010
【図９】
2004015821.tif 000011
【図１０】
2004015821.tif 000012
【図１１】
2004015821.tif 000013
【図１２】
2004015821.tif 000014
【図１３】
2004015821.tif 000015
【図１４】
2004015821.tif 000016
【図１５】
2004015821.tif 000017
【図１６】
2004015821.tif 000018